(57)【特許請求の範囲】
【請求項１】
上下通水路と直交してテーパー状の栓室が形成され、この栓室の細径側に管接続口を開設した十字形の栓筐と、この栓筐の前記栓室に密に嵌合するテーパ面を備えると共に、前記栓筐の通水路と管接続口とを連通可能な開口および透孔を有する中空体であって、少なくとも９０度回転可能とすることで開または閉状態とする栓体と、この栓体の抜け止め環とからなり、サドルバンド上に装着されるコック型分水栓において、前記栓体の太径側端面を縮径して平段面を形成すると共に、前記抜け止め環の内端面を前記平段面に当接させて前記栓体を前記栓室の細径側に押圧可能とする一方、閉栓時において前記通水路の上流側に面する前記栓体の少なくとも一箇所から前記平段部に達し、且つ、当該栓体と前記抜け止め環が当接する接触面と連通する細孔を貫設したことを特徴とするコック型不断水分水栓。
【請求項２】
栓体の平段面と抜け止め環の内端面の接触面の少なくとも一方の面内に凹溝を環設した請求項１記載のコック型不断水分水栓。
【発明の詳細な説明】
【０００１】
【発明の属する技術分野】
この発明は流路開閉用のテーパー型コック栓の改良構造に関し、特に水道管等の敷設工事において本管から不断水の状態で分岐管を配設する場合のコック型分水栓として有用なものである。
【０００２】
【従来の技術】
水道管工事などに従来から広く使用されるサドル分水栓には、コック型又はボール型の栓体が多く利用されているが、中でも上記コック型の分水栓の一般的構造は、図３に示すように本管（Ｐ）を囲繞して固定されるサドルバンド（ロ）の上部中央にパッキン（ハ）を介して螺装される十字状の栓筐（イ）内に、その通水路（ニ）と直交して嵌挿されるテーパー状の栓体（ホ）を９０度回転可能とすることによって通水路を開又は閉状態にするものであった。
【０００３】
従って、特に上記通水路（ニ）の閉止に当たっては、栓筐（イ）の弁室内面とテーパー状栓体（ホ）の表面とが水密に接触することが要件とされる為、従来構造の栓体（ホ）は、これを抜け止め環（ヘ）によって栓室の一方（小径側）に強く押し付ける必要があった。  尚、同図中（ト）は分岐管の接続口、（チ）は栓体の回転用突子、また（リ）は通水路上端の閉止用キャップを示す。
【０００４】
【発明が解決しようとする課題】
上述した構成から明らかであるように、上記抜け止め環（ヘ）による栓体（ホ）の押付け力が大きい場合には、栓体の回転操作が難渋する反面、押付け力が小さいと漏水が多発するという課題があり、その調節には高度の熟練性が要求されていたのである。
【０００５】
【課題を解決するための手段】
叙述の実情に鑑み本発明は、この種のコック型分水栓における栓体の表面と栓室内面との密着度の調節が内部流体の圧力にも大きく左右される点に着目し、従来構造に係るコック型分水栓の抜け止め環による栓体の押付け力に、更に一次側の水圧を付加させることによって上記課題の解消を図ったものである。
【０００６】
上下通水路と直交してテーパー状の栓室が形成され、この栓室の細径側に管接続口を開設した十字形の栓筐と、この栓筐の前記栓室に密に嵌合するテーパ面を備えると共に、前記栓筐の通水路と管接続口とを連通可能な開口および透孔を有する中空体であって、少なくとも９０度回転可能とすることで開または閉状態とする栓体と、この栓体の抜け止め環とからなり、サドルバンド上に装着されるコック型分水栓において、前記栓体の太径側端面を縮径して平段面を形成すると共に、前記抜け止め環の内端面を前記平段面に当接させて前記栓体を前記栓室の細径側に押圧可能とする一方、栓筐内の通水路を横断して回転可能に嵌挿されるテーパー状栓体の閉栓時に、該栓体の一側縮径部に形成される平段面と、栓体の抜け止め環の内端面との接触面に向けて上記通水路の上流側（一次側）の流体を導入可能な細孔を設けるという手段を用いた。
【０００７】
又、上記接触面の少なくとも一方に、環状の凹溝を設けるという手段も採用したものである。
【０００８】
本発明は上記構成としたことによって、閉栓時における一次側流体が上記細孔から上記接触面乃至は環状凹溝に流入し、その水圧に応じて栓体を一方向に押圧可能としたものであり、これによって閉栓時における栓室と栓体周面との水密的接触をより強化できるから、抜け止め環のみの押付け力に依存していた従来のコック栓のように過締めに起因する栓体操作の渋重や、押付け力の不足による漏水等の不都合が大幅に改善されたものである。
【０００９】
【発明の実施の形態】
以下、本発明の構成を図面に示す一つの実施の形態に基づいて更に詳述する。
図１において、１はコック型分水栓の十字形の栓筐であって、内部は栓筐１を上下に貫通する通水路１ａと、これに直交する栓室１ｂとからなり、該栓室１ｂ内面には一定のテーパーが付されていて、その細径側に管接続口１ｃを開設し、分岐管（図示せず）を接続可能としたものである。
【００１０】
又、２は上記栓室１ｂの内面と適合するテーパー面を備えた栓体であって、上記栓室１ｂに密に嵌合して少なくとも９０度回転自在な中空体から構成され、その一端は上記分岐管の接続口１ｃと連通する開口２ａを有すると共に、栓体の中央部には上記通水路１ａと随時連通可能な透孔２ｂが貫設され、更に上記栓体２の閉止された他端側（太径側）には、その外周面を同心的に縮径して平段部２ｃとする縮径部２ｄを形成させた上、該縮径部の栓室外への露出端面に回転子２ｅを突成したものである。
【００１１】
更に３は、栓体２の抜け止め環を示し、上記栓体２の縮径部２ｄと該部の栓筐内面との間にパッキン３ａ等を介して水密に螺合するようにし、該抜け止め環３の内端面を上記栓体２の平段面２ｃに当接させて栓体２を栓室の細径側に押圧可能にする一方、閉栓時において上記通水路の上流側（一次側）に面する栓体２の少なくとも一箇所から平段部２ｃに達する細孔４を貫設し、上記両部材が当接する接触面３ｂと連通し得るようにしたものである。
【００１２】
この他、本発明では図２に見られるように、上記接触面３ｂの少なくとも一方の面内に環状の凹溝５を設け、上記栓体２の細孔４と連通可能であるようにしても、全く同等の作用効果が得られるのである。尚、図１における符号６は栓筐１の通水路１ａ末端を閉止するキャップを示す。
【００１３】
上述した構成を有する本発明のコック型分水栓によれば、栓筐上端のキャップ６を取り外し、その部分に穿孔機を装着・固定して分水栓の栓体２を開栓状態とし、開通した通水路１ａに上記穿孔機のドリルおよびドリルロッドを挿入して本管に所望の分岐孔（以上は何れも図示を省略）を穿設することは、猶従前のこの種不断水分水栓における要領と同様であるが、穿孔完了後にドリルロッド及びドリルを引き揚げて栓体２を閉止した場合、本管側から栓筐内に流入する一次側の水流は、細孔４を介して上記接触面３ｂ又は環状凹溝５に導入され、その水圧が栓体縮径部の平段面２ｃに作用して栓体２に栓室細径側への押し付け力を付加するので、上記抜け止め環３の押し付け力と相俟って栓室１ｂと栓体２の両テーパー面が互いに強く圧接し、確実な止水効果を齎らし得るのである。
【００１４】
【発明の効果】
以上の説明によって既に明きらかであるとおり、本発明に係るコック型分水栓では、特に栓体の閉止時において一次側の水圧を栓体の平段面と押し付け環との接触面に導入可能としたことによって、該接触面に作用する水圧が栓室内面と栓体面との強固な密接状態を維持させるものであるから、押し付け環のみに依存していた従来のコック型分水栓に見られたような栓体操作の渋重や、漏水等の不都合を大巾に解消し得るという格段に優れた効果が期待できるものである。
【図面の簡単な説明】
【図１】本発明に係るコック型分水栓本体の中心部縦断面図。
【図２】接触面の一部を拡大して示す部分端面図。
【図３】従来の同種分水栓全体の中心部縦断面図
【符号の説明】
１      栓筐
１ａ    通水路
１ｂ    栓室
１ｃ    接続口
２      栓体
２ａ    開口
２ｂ    透孔
２ｃ    平段部
２ｄ    縮径部
３      抜け止め環
３ａ    パッキン
３ｂ    接触面
４      細孔
５      環状凹溝
６      キャップ
【図１】
0003923629.tif 000002
【図２】
0003923629.tif 000003
【図３】
0003923629.tif 000004